(57)【要約】      （修正有）【課題】内反小趾を効果的に予防することができ、しかも使用が容易であり、使用時、痛み、血行不良等の問題も生じない内反小趾予防具を提供する。【解決手段】予防具の全体又は大部分が柔軟な樹脂体からなり、足の薬指と小指の間に挟まれる指間隙保持部と、該指間隙保持部に連なって帯環状に形成され、その内側の通路に薬指を挿し通す薬指定位部と、該薬指定位部の反対側に、該指間隙保持部に連なって帯環状に形成され、その内側の通路に小指を挿し通す小指定位部とを備え、前記薬指定位部の通路及び前記小指定位部の通路は、それぞれ、薬指の付け根に相当する部位と小指の付け根に相当する部位とを結ぶ直線に対して斜交するように形成されている内反小趾予防具。【選択図】図１
0003148863.tif 000002
【実用新案登録請求の範囲】
【請求項１】
予防具の全体又は大部分が柔軟な樹脂体からなり、
足の薬指と小指の間に挟まれる指間隙保持部と、
該指間隙保持部に連なって帯環状に形成され、その内側の通路に薬指を挿し通す薬指定位部と、
該薬指定位部の反対側に、該指間隙保持部に連なって帯環状に形成され、その内側の通路に小指を挿し通す小指定位部とを備え、
前記薬指定位部の通路及び前記小指定位部の通路は、それぞれ、薬指の付け根に相当する部位と小指の付け根に相当する部位とを結ぶ直線に対して斜交するように形成されている内反小趾予防具。
【考案の詳細な説明】
【技術分野】
【０００１】
本考案は、内反小趾を予防するための内反小趾予防具に関する。
【背景技術】
【０００２】
近年、生活習慣の変化に伴い、靴を履いている時間が増え、特に、ハイヒールやパンプスなどの先細の靴を頻繁に履用していると、小指が内反するところの、つまり、小指が小指側に曲がるところの所謂、内反小趾に患う人が増加している。
【０００３】
従来、内反小趾を矯正するために、例えば、足の第４指（薬指）と第５指（小指）に巻きつけて両指一体に固定できるバンドと、バンドの両指への巻きつけ状態において両指の間に挟持するパッドよりなる内反小指矯正具が提案されている（特許文献１参照）。
【特許文献１】特開２００４−２１６０８７号公報
【０００４】
この従来の内反小指矯正具は、パッドを薬指と小指の間に差し込み、バンドを薬指と小指に巻きつけて固定することによって、薬指と小指の間を広げて、隙間をつくり、薬指及び小指を真っ直ぐに並ぶ状態にすることによって、内反小趾を矯正するものである。
【考案の開示】
【考案が解決しようとする課題】
【０００５】
しかしながら、この従来の内反小指矯正具は、使用する度に、いちいちバンドを薬指と小指に巻きつける必要があるため、使用の際に手間（時間）がかかるものであった。
更に、該内反小指矯正具は、使用の際、パッドをバンドの巻きつけにより薬指と小指の間に固定しているだけなので、足や足の指を動かしたりすると、バンドが緩み、パッドが薬指及び小指の間の付け根の位置からずれ易く、動きが激しいと、薬指及び小指の間から外れてしまう場合があるという問題があった。
また、該内反小指矯正具では、上記したような足や足の指を動きに伴うパッドの位置ずれやパッドの外れを防止するためには、バンドを、薬指と小指に強めに何重にも巻く必要があるため、使用により薬指及び小指に痛みが生じたり、ひどい場合には、鬱血したり、血行不良を起こしてしまう慮れがあった。
その上、該内反小指矯正具は、通常、ヒトの足では、薬指の付け根部分は小指の付け根部分よりもかなり高い位置にあるにも関わらず、この点については何ら考慮していないものであった。
要するに、従来の内反小趾矯正具は、パッドを薬指と小指の間の定位置に常に安定してとどめることができず（位置ずれ等が起こり易く）、しかもその作業を容易に、かつ痛み、血行不良等を生ずることなく為すことが難しく、即ち、常に、薬指と小指の間に一定の間隙をつくり、薬指及び小指の両骨をほぼ平行に並ぶ正常な状態に保ち続けることができないため、効果的に内反小趾となるのを予防することができないという課題があった。
【０００６】
本考案者は、上記事情を鑑みて考慮し、鋭意工夫した結果、柔軟な樹脂体で指間隙保持部を形成し、それを薬指と小指の間に挟み入れ、両指の間に一定の隙間を作るとともに指間隙保持部に連なって、その一方側及びその反対側にそれぞれ柔軟な樹脂体からなる帯環状の指定位部を設け、それらの内側通路に薬指を挿し通し、かつその反対側の内側通路に小指を挿し通す構成とすることにより、薬指と小指の間に必要な一定の間隙を作り、足又は足の動きに依っても位置ずれが生じ難く、即ち、常に安定して、薬指と小指の両骨をほぼ平行に並ぶ正常な状態に保ち続けることができ、よって、内反小趾となるのを効果的に予防することができ、しかも予防具の装着は容易であり、装着時、痛み、血行不良等の問題も生じないという効果が得られ、そして更に、各指定位部、即ち薬指定位部及び小指定
位部の内側の通路を、それぞれ、薬指の付け根に相当する部位と小指の付け根に相当する部位とを結ぶ直線に対して斜交するように形成することにより、この効果をよりいっそう高めることができることを初めて見出し、本考案を完成させた。
【課題を解決するための手段】
【０００７】
即ち、本考案は、予防具の全体又は大部分が柔軟な樹脂体からなり、
足の薬指と小指の間に挟まれる指間隙保持部と、
該指間隙保持部に連なって帯環状に形成され、その内側の通路に薬指を挿し通す薬指定位部と、
該薬指定位部の反対側に、該指間隙保持部に連なって帯環状に形成され、その内側の通路に小指を挿し通す小指定位部とを備え、
前記薬指定位部の通路及び前記小指定位部の通路は、それぞれ、薬指の付け根に相当する部位と小指の付け根に相当する部位とを結ぶ直線に対して斜交するように形成されている内反小趾予防具に関する。
【０００８】
本考案の内反小趾予防具は、指間隙保持部の左右両側面に、薬指定位部及び小指定位部を形成したものである。
前述の予防具の全体、すなわち、指間隙保持部、薬指定位部及び小指定位部の全部分は柔軟な樹脂体から構成されるのが好ましいが、その一部を、金属や布等で構成しても良い。
前述の予防具において、指間隙保持部を柔軟な樹脂体で構成することによって、指間隙保持部を薬指及び小指の間に挟み入れ、足又は足の指を動かしたとしても、薬指及び小指に痛みが生じず、また、薬指定位部及び小指定位部を帯環状の柔軟な樹脂体で構成することによって、その内側の通路に挿し通された薬指及び小指の両骨をほぼ平行に並ぶ正常な状態に保ったまま、ある程度動かすこともできる。
前述の柔軟な樹脂体としては、例えば、熱可塑性エラストマー（スチレン系、オレフィン系、ポリエステル系、ウレタン系、ＰＶＣ系、フッ素系のもの等）及びゴム（イソプレンゴム、ブタジエンゴム、ニトリルゴム、アクリルゴム、シリコンゴム等）が挙げられる。
前述の指間隙保持部は、薬指及び小指の間に挟み入れられたとき、薬指と小指の間に一定の隙間をつくる働きを為す。
前述の指間隙保持部は、好ましくは、薬指と小指の指股部分に差し込まれる大きさを有し、その形状は、薬指と小指の指股部分に沿って適合するような形状であれば特に制限はなく、例えば柱状又は筒状の形状を採る。
また、前述の薬指定位部及び小指定位部は、その内側の通路に挿し通された薬指及び小指の両骨をほぼ平行に並ぶようにそれらの姿勢を保持し、かつ、指間隙保持部が薬指及び小指の間の定位置からずれたりはずれたりしないように、該定位置に常に安定してとどめる働きをなす。
この指間隙保持部を薬指及び小指の間の定位置にとどめる働きをよりいっそう高めるために、薬指定位部の内部通路及び小指定位部の内部通路は、それぞれ、薬指の付け根に相当する部位と小指の付け根に相当する部位とを結ぶ直線に対して斜交するように形成されている。
前述の薬指定位部は、その内側の通路に薬指を挿し通した場合に、薬指と薬指定位部の間に無駄なあそびがなく、薬指と薬指定位部が密着するような大きさのものに設計され、また小指定位部は、その内側の通路に小指を挿し通した場合に、小指と小指定位部の間に無駄なあそびがなく、小指と小指定位部が密着するような大きさのものに設計される。
更に、前述の薬指及び小指定位部は、挿し通された薬指及び小指が必要以上にきつく締めつけられることがないように、紐状の細い環ではなく、帯状の即ち、一定の幅を有する環の形状をしている。
【考案の効果】
【０００９】
これらの構成により、本考案の内反小趾予防具は、薬指及び小指を、それぞれ、薬指定位部及び小指定位部の内側の通路に挿し通すだけで容易に装着できるので、容易に、即ち時間をかけずにすぐに使用することができる。
また、本考案の内反小趾予防具は、使用時に、足又は足の指を動かしたとしても、薬指定位部及び小指定位部が、指間隙保持部を薬指と小指の間の定位置（指股部分）に安定してとどめる働きをなすので、位置ずれが起こり難い。
しかも、本考案の内反小趾予防具は、ヒトの足の薬指の付け根部分が、通常、小指の付け根部分よりもかなり高い位置にあることを考慮して、薬指定位部の通路及び小指定位部の内側通路を、薬指の付け根に相当する部位と小指の付け根に相当する部位とを結ぶ直線に対して斜交するように形成しているので、使用の際、薬指及び小指（の付け根）によくフィット（適合）し、より位置ずれが起こり難くなっている。
よって、本考案の内反小趾予防具を使用すれば、薬指と小指の間に常に一定の隙間がつくられ、薬指及び小指の両骨をほぼ平行に並ぶ正常な状態に保ち続けることができるので、内反小趾となるのを効果的に予防することができる。
更に、本考案の内反小趾予防具においては、薬指及び小指定位部が柔軟な樹脂体により帯環状に形成されるので、使用時に、痛み、血行不良等の問題も生じることがない。
【考案を実施するための最良の形態】
【００１０】
以下、本考案を図面を参照にしてより具体的に説明する。
図１は、本考案の右足用の内反小趾予防具１の斜視図である。図２は、図１の内反小趾予防具１の、薬指定位部３及び小指定位部４の通路５、６と、薬指及び小指の付け根に相当する部位７、８との関係を示す上面図である。図３は、図１の内反小趾予防具１の使用例を示す平面図である。
【００１１】
実施例１．内反小趾予防具
図１に図示する内反小趾予防具１（右足用）は、指間隙保持部２の左側面に連なって薬指定位部３が形成され、そして、反対側の右側面に連なって小指定位部４が形成されたものである。
指間隙保持部２は、薬指と小指の指股部分の厚みに相当する高さを有する略円筒状の形状をしている。
薬指定位部３及び小指定位部４は、帯状の環の形状をしており、薬指定位部３は、その内側に薬指の大きさに対応した内径の通路５を有し、また小指定位部４は、その内側に小指の大きさに対応した内径の通路６を有している。
また、図２に示すように、薬指定位部３の内側の通路５及び小指定位部４の内側の通路６は、それぞれ、薬指の付け根に相当する部位７と小指の付け根に相当する部位８とを結ぶ直線ａ−ａ'に対して斜交するように形成されている。
また、内反小趾予防具１の全体（指間隙保持部２、薬指定位部３、小指定位部４）は、シリコンゴムからなる。
【００１２】
図１の内反小趾予防具１は、図３に示すように、指間隙保持部２を右足の薬指と小指の指股部分まで差し込み、薬指及び小指を、それぞれ、薬指定位部３の内側の通路５及び小指定位部４の内側の通路６に挿し通すことによって使用される。
このとき、指間隙保持部２は、柔軟な樹脂体からなるので、薬指と小指の間の指股部分に沿って適応し、薬指と小指の間に一定の隙間をつくる。
また、薬指定位部３及び小指定位部４は、その内側の通路５及び６に薬指及び小指を挿し通した場合に、薬指と薬指定位部３の間及び小指と小指定位部４の間に無駄なあそびがなく、かつ、薬指と薬指定位部３、小指と小指定位部４が密着するように設計されているので、足又は足の指を動かしたとしても、薬指定位部３及び小指定位部４は、薬指及び小指の定位置（付け根部分）にとどまり、位置ずれしたりしない。そのため、薬指定位部３
及び小指定位部４の間に差し込まれている指間隙保持部２も、薬指と小指の間の定位置（指股部分）に安定してとどまるので、常に、薬指と小指の間に一定の隙間がつくられ、薬指及び小指の両骨はほぼ平行に並ぶ正常な状態に保ち続けられる。
また、その際、薬指定位部３及び小指定位部４が柔軟な樹脂体からなり、かつ帯状の環の形状をしているので、薬指及び小指が必要以上に締めつけられることはない。
【００１３】
従って、本考案の内反小趾予防具１を使用した場合、日常生活において、足又は足の指を動かしたとしても、指間隙保持部２は薬指と小指の間の付け根に常にとどまるので、薬指と小指の間に常に一定の隙間をつくられ、薬指及び小指を真っ直ぐに並ぶ状態に保ち続けることができるので、効果的に内反小趾を予防することができる。
しかも、本考案の内反小趾予防具１は、容易に、即ち時間をかけずに使用（装着）することができ、しかも使用時に、薬指及び小指の痛みや血行不良を生ずることもない。
【図面の簡単な説明】
【００１４】
【図１】図１は、本考案の右足用の内反小趾予防具１の斜視図である。
【図２】図２は、図１の内反小趾予防具１の、薬指定位部３及び小指定位部４の通路５、６と、薬指及び小指の付け根に相当する部位７、８との関係を示す上面図である。
【図３】図３は、図１の内反小趾予防具１の使用例を示す平面図である。
【符号の説明】
【００１５】
１．内反小趾予防具  ２．指間隙保持部  ３．薬指定位部  ４．小指指定位部
５．通路  ６．通路  ７．薬指の付け根に相当する部位  ８．小指の付け根に相当する部位
【図１】
0003148863.tif 000003
【図２】
0003148863.tif 000004
【図３】
0003148863.tif 000005